(57)【要約】【課題】  トラックの荷台等への固定及びその解除作業が容易な遊技機の転倒防止装置を提供する。【解決手段】  パチンコ機１の上方をパチンコ機１の前後方向に延びて設けられるビーム２１及びこのビーム２１の下方にビーム２１の延びる方向に並設された多数のプレート３０を有する。各プレート３０は、ガイド部材２３にガイドされて自重により垂下した最下方位置から上方に移動自在であるとともに、ビーム２１の延びる方向への移動が移動規制部材２８によって規制されている。この転倒防止装置２０は、一部のプレート３０がパチンコ機１の上面１ａにより最下方位置から上方に押し上げられた状態になるようにビーム２１が床板ＦＬに対して固定される。【選択図】        図３
2007021049.tif 000002
【特許請求の範囲】
【請求項１】
床板上に立設姿勢で載置された遊技機の上方を前記遊技機の前後方向に延びて設けられた柱状部材及びこの柱状部材の下方に延びて設けられたガイド部材を備えて構成されたビームと、
前記ビームにおける前記柱状部材の下方に前記ビームが延びる方向に並んで設けられ、各々が前記ガイド部材にガイドされて自重により垂下した最下方位置から上方に移動自在であるとともに前記ビームの延びる方向への移動が規制された多数のプレートと、
一部の前記プレートが前記遊技機の上面により前記最下方位置から上方に押し上げられた状態になるように前記ビームを前記床板に対して固定するビーム固定具とを備えたことを特徴とする遊技機の転倒防止装置。
【請求項２】
前記ビームは、前記柱状部材の下部に固定された複数の移動規制部材を有し、前記ガイド部材は前記柱状部材の左右側部から下方に延びた左右の垂直部及び各垂直部の下端から互いに向き合うように延びた左右の水平部を有し、前記各プレートは、左右両端部から左右側方に張り出して延びた左右の張り出し部を前記左右の水平部の上方に位置させて上下方向移動自在であるとともに、前記左右の張り出し部が前記左右の水平部に上方から当接したときに前記最下方位置に位置するようになっており、前記移動規制部材と直接或いは他のプレートを介して間接的に当接したときに前記ビームの延びる方向への移動が規制されるようになっていることを特徴とする請求項１記載の遊技機の転倒防止装置。
【請求項３】
前記ガイド部材は前記柱状部材の左右側部から下方に延びるとともに、前記ビームの延びる方向に多数組並んで設けられた左右一対の上下方向に延びた孔を有し、前記各プレートは、左右両端部から左右側方に張り出して延びた左右の張り出し部を前記左右一対の孔内に位置させて上下方向移動自在であるとともに、前記左右の張り出し部が前記左右の孔それぞれの下縁に上方から当接したときに前記最下方位置に位置するようになっており、前記孔の上下方向に延びた内縁と直接或いは他のプレートを介して間接的に当接したときに前記ビームの延びる方向への移動が規制されるようになっていることを特徴とする請求項１記載の遊技機の転倒防止装置。
【発明の詳細な説明】
【技術分野】
【０００１】
本発明は、パチンコ機やスロットマシンなどの立設状態で使用される遊技機の転倒防止装置に関し、更に詳細には、遊技機を立設状態のまま転倒させることなく、トラック等によって安全に運搬できるようにした遊技機の転倒防止装置に関する。
【背景技術】
【０００２】
パチンコ機やスロットマシンなどの遊技機は、遊技場内に設置された遊技島と呼ばれる室内設置枠に立設姿勢に保持されて遊技に供される。このような遊技機は正面視寸法に比べて奥行き寸法が非常に小さい形状を有しているため自立姿勢は極めて不安定であり、遊技島に取り付け保持されて初めて安定的な立設姿勢が維持される。
【０００３】
従って、このような遊技機をトラックなどによって遊技場外を運搬する際には遊技機を荷台上に寝かせるか、別途設けた保持具によって遊技機を立設状態に保持する必要があり、荷台上に寝かせる場合には、各遊技機の扉内部にクッション材を充填するとともに外枠を梱包材で覆う作業が必要となる（例えば下記の特許文献参照）。また、立設状態で運搬する場合には遊技機をトラックの荷台上に載置したうえで、遊技機の上方に複数の桟木を渡してこれら桟木と遊技機の外枠（この外枠は一般には木製である）とを釘打ち固定する作業が必要となる。
【特許文献１】特開平１１−９８３０号公報
【発明の開示】
【発明が解決しようとする課題】
【０００４】
しかしながら、上記従来の運搬方法では、前者の場合には梱包作業及びその梱包を解く作業に要する時間は膨大なものとなり、コスト高となる難点がある。これに対し後者の場合には、このような梱包作業は必ずしも必要でなくなるが、トラック内での遊技機の固定作業とその分解作業が煩雑であること、外枠に釘穴が形成されてしまうこと、及び使用済みの桟木には多くの釘穴が開けられているため再使用できる回数が限られており、所定の回数使用した桟木はそのまま廃棄されてしまうために環境保護の面から好ましくないこと、などの問題点がある。
【０００５】
本発明はこのような問題に鑑みてなされたものであり、トラックの荷台等への固定及びその解除作業が容易であり、外枠に釘穴を開けてしまうことがなく、また環境保護の面からも好ましい構成の遊技機の転倒防止装置を提供することを目的としている。
【課題を解決するための手段】
【０００６】
本発明に係る遊技機の転倒防止装置は、床板上に立設姿勢で載置された遊技機(例えば、実施形態におけるパチンコ機１)の上方を遊技機の前後方向に延びて設けられた柱状部材(例えば、実施形態における角柱部材２２)及びこの柱状部材の下方に延びて設けられたガイド部材を備えて構成されたビームと、ビームにおける柱状部材の下方にビームが延びる方向に並んで設けられ、各々がガイド部材にガイドされて自重により垂下した最下方位置から上方に移動自在であるとともにビームの延びる方向への移動が規制された多数のプレートと、一部のプレートが遊技機の上面により最下方位置から上方に押し上げられた状態になるようにビームを床板に対して固定するビーム固定具(例えば、実施形態における突っ張り型固定具４１及びフック５１付きの固定バンド５０)とを備える。
【０００７】
ここで、ビームは、柱状部材の下部に固定された複数の移動規制部材を有し、ガイド部材は柱状部材の左右側部から下方に延びた左右の垂直部及び各垂直部の下端から互いに向き合うように延びた左右の水平部を有し、各プレートは、左右両端部から左右側方に張り出して延びた左右の張り出し部が左右の水平部の上方に位置させて上下方向移動自在であるとともに、左右の張り出し部が左右の水平部に上方から当接したときに最下方位置に位置するようになっており、移動規制部材と直接或いは他のプレートを介して間接的に当接したときにビームの延びる方向への移動が規制されるようになっていることが好ましい。或いは、ガイド部材は柱状部材の左右側部から下方に延びるとともに、ビームの延びる方向に多数組並んで設けられた左右一対の上下方向に延びた孔を有し、各プレートは、左右両端部から左右側方に張り出して延びた左右の張り出し部が左右一対の孔内に位置させて上下方向移動自在であるとともに、左右の張り出し部が左右の孔それぞれの下縁に上方から当接したときに最下方位置に位置するようになっており、孔の上下方向に延びた内縁と直接或いは他のプレートを介して間接的に当接したときにビームの延びる方向への移動が規制されるようになっていることが好ましい。
【発明の効果】
【０００８】
本発明に係る遊技機の転倒防止装置は、遊技機の上方を遊技機の前後方向に延びて設けられるビーム及びこのビームの下方にビームの延びる方向に並設された多数のプレートを有し、各プレートが、ガイド部材にガイドされて自重により垂下した最下方位置から上方に移動自在であるとともにビームの延びる方向への移動が規制された構成となっている。このため、一部のプレートが遊技機の上面により最下方位置から上方に押し上げられた状態となるようにビームを床板に対して固定すれば、遊技機の前後に位置して遊技機と対向するプレートはビームの延びる方向（すなわち遊技機の前後方向）への移動が規制されていることから、遊技機が前後方向に傾こうとしたときにはこれが阻止され、転倒が防止される。遊技機は横方向へはもともと転倒しにくいが、この転倒防止装置を遊技機の横方向に複数台並べて使用すれば、遊技機の横方向への転倒をより確実に防止することができる。また、このような構成の転倒防止装置は、従来のように釘を用いて遊技機の外枠と結合される構成ではないので、トラックの荷台への固定及びその解除作業が非常に容易である。また、遊技機に釘穴が形成されないので、遊技機の商品性を低下させない。更に、この転倒防止装置は再使用が可能であり、従来のように１回の使用後そのまま廃棄されることがないので環境保護の面からも好ましい。
【０００９】
なお、各プレートのビームの延びる方向への移動を規制する構成は特に限定されないが、ビームは、柱状部材の下部に固定された複数の移動規制部材を有し、ガイド部材は柱状部材の左右側部から下方に延びた左右の垂直部及び各垂直部の下端から互いに向き合うように延びた左右の水平部を有し、各プレートは、左右両端部から左右側方に張り出して延びた左右の張り出し部が左右の水平部の上方に位置させて上下方向移動自在であるとともに、左右の張り出し部が左右の水平部に上方から当接したときに最下方位置に位置するようになっており、移動規制部材と直接或いは他のプレートを介して間接的に当接したときにビームの延びる方向への移動が規制されるようになっているのであれば、構成を簡単なものとすることができる。或いは、ガイド部材は柱状部材の左右側部から下方に延びるとともに、ビームの延びる方向に多数組並んで設けられた左右一対の上下方向に延びた孔を有し、各プレートは、左右両端部から左右側方に張り出して延びた左右の張り出し部を左右一対の孔内に位置させて上下方向移動自在であるとともに、左右の張り出し部が左右の孔それぞれの下縁に上方から当接したときに最下方位置に位置するようになっており、孔の上下方向に延びた内縁と直接或いは他のプレートを介して間接的に当接したときにビームの延びる方向への移動が規制されるようになっているのであっても同様に構成を簡単なものとすることができる。
【発明を実施するための最良の形態】
【００１０】
以下、図面を参照して本発明の好ましい実施形態について説明する。図１は本発明の一実施形態に係る転倒防止装置２０が適用されるパチンコ機１を示す図であり、図２及び図３はこのパチンコ機１に転倒防止装置２０が適用された状態を示す図である。また、図４は転倒防止装置２０を示す斜視図、図５は転倒防止装置２０の断面図、図６は転倒防止装置２０の折り畳み状態を示す図であり、図７は複数台のパチンコ機１が転倒防止装置２０によってトラックの荷台に固定された状態を示す図である。また、図８はもう一つの実施形態に係る転倒防止装置１２０を示す図である。
【００１１】
図１に示すようにパチンコ機１は全体として正面視において縦長の矩形形状を有しており、奥行き寸法は正面視寸法に比して小さく、図示しない遊技島と呼ばれる室内設置枠に立設姿勢に保持された状態で遊技に供される。このパチンコ機１は外郭を形作る方形枠状の外枠２の前側開口域に前枠３が取り付けられており、正面視左側に設けられた上下のヒンジ４ａ，４ｂによって開閉自在となっている。前枠３内には遊技盤６を収容した方形枠状の収納枠５が取り付けられており、遊技盤６はゲームの内容に併せて交換できるように、収容枠５に対して着脱自在となっている。
【００１２】
前枠３の前面には中央の矩形開口部８ａを覆うように嵌め込まれたガラス７を有したガラス扉８が取り付けられており、正面視左側に設けられたヒンジによって開閉自在となっている。前枠３の下方には上球皿９、更にその下方には下球皿１０が取り付けられており、それぞれ正面視左側に設けられたヒンジによって開閉自在となっている。前枠３の外枠２に対する固定及びガラス扉８の前枠３に対する固定は、ガラス扉８の正面右側に鍵差込口を有する施錠装置１１の施錠動作により行うことができ、上球皿９はガラス扉８を前枠３に対して固定したときに、ガラス扉８と前枠３との間に挟持されて固定されるようになっている。収納枠５の裏側には裏セット盤１２が設置されており、ここには賞球貯留タンク１３や遊技球払い出し機構、制御装置等その他の構成部品が取り付けられている。
【００１３】
下球皿１０の右側には操作ハンドル１４が前方（遊技者側）に延びて設けられている。遊技者がこの操作ハンドル１４に触れると、パチンコ機１内に内蔵された図示しない打球発射装置によって遊技盤６上に形成された遊技領域内に遊技球が次々と打球発射される。遊技者は操作ハンドル１４の捻り操作量を変えることにより、その発射強度を調節することができ、遊技領域内に発射された遊技球が入賞口に落入して入賞すると、その入賞状況に応じた所定数の遊技球が賞球として図示しない遊技球払出機構により上球皿９内に払い出される。
【００１４】
このような構成を有するパチンコ機１は前述のように正面視寸法に比べて奥行き寸法が非常に小さいため自立姿勢は不安定であり、図２に示すように水平な床板ＦＬ上にパチンコ機１を立設姿勢で保持する場合には、これらパチンコ機１を床板ＦＬ上に固定する道具が必要となる。本発明に係る転倒防止装置２０（及び１２０）はこのようにパチンコ機１を床板ＦＬ上に固定するためのものであり、以下にその構成を説明する。なお、ここでは、パチンコ機１が固定される床板ＦＬの両側には垂直に延びた側壁ＷＬ１，ＷＬ２が互いに対向して設けられており、床板ＦＬの上面にはパチンコ機１が滑りにくい加工がなされているものとする。
【００１５】
図４及び図５に示すように転倒防止装置２０は床板ＦＬ上に立設姿勢で載置されたパチンコ機１の上方をパチンコ機１の前後方向に延びて設けられる長尺のビーム２１と、ビーム２１に支持された多数のプレート３０（これらプレート３０はビーム２１の下方をビーム２１の延びる方向に並んで設けられている）と、ビーム２１の両端部に設けられた２つの突っ張り型固定具４１と、ビーム２１に沿って延びて両端部それぞれにフック５１を有した固定バンド５０とを有して構成されている。ここで、パチンコ機１の前後方向とは、遊技者が遊技盤６と向き合ったときに、その視線の向く方向である。
【００１６】
ビーム２１は図４に示すように右側ビーム２１ａと左側ビーム２１ｂとがそれぞれの上面に取り付けられた蝶番２５によって連結された構成となっており、蝶番２５まわりに右側ビーム２１ａと左側ビーム２１ｂとを相対揺動させることによってビーム２１を上下方向に折り畳むことができるようになっている。なお、右側ビーム２１ａ及び左側ビーム２１ｂは双方構成が同じである。図４及び図５に示すように、ビーム２１（右側ビーム２１ａ及び左側ビーム２１ｂ）は中空矩形断面を有した角柱部材２２と、この角柱部材２２の上面及び左右の側面を覆い、角柱部材２２の下方に延びて設けられたガイド部材２３と、角柱部材２２の下部に固定された複数の移動規制部材２８とを有して構成される。ガイド部材２３は、角柱部材２２の左右両側面から真っ直ぐ下方に延びた左右の垂直部２３ａ及び各垂直部２３ａの下端において互いに向き合うように屈曲して延びた左右の水平部２３ｂを有しており（図５（Ｂ）参照）、角柱部材２２とガイド部材２３とは角柱部材２２の側面において多数のボルト２４によって結合されている（図４参照）。また、各移動規制部材２８は右側ビーム２１ａの両端部と左側ビーム２１ｂの両端部それぞれに取り付けられている。なお、本実施形態では、移動規制部材２８は図５に示すようにチャンネル型をしているが、これは一例に過ぎない。
【００１７】
図５（Ｂ）に示すように、各プレート３０は上下に延びた本体部３１及びその左右両端部から左右側方に張り出して延びた左右の張り出し部３２を有している。左右の張り出し部３２は角柱部材２２の下方空間（左右の垂直部２３ａが対向する空間）２６内であって、左右の水平部２３ｂの上方に位置しており、本体部３１は左右の水平部２３ｂの間から下方に垂下して延びている。そして、左右の張り出し部３２の下端３２ａを左右の水平部２３ｂに上方から当接させた最下方位置（図５（Ｂ）及び図３（Ｃ）参照）及び上端３０ａを角柱部材２２の下面２２ａに下方から当接させた最上方位置（図３（Ｂ）参照）との間で移動自在となっている。
【００１８】
図４及び図５に示すように、プレート３０は角柱部材２２の下方空間２６内においてビーム２１が延びる方向に多数並んで（密集して）設けられている。各プレート３０は、ビーム２１の延びる方向に或る程度移動することが可能であるが、右側ビーム２１ａ及び左側ビーム２１ｂそれぞれの両端部における角柱部材２２の下方には前述のように移動規制部材２８が固定されているため（図５（Ａ）参照）、移動規制部材２８と直接或いは他のプレート３０を介して間接的に当接したときに（移動規制部材２８との間に位置する全てのプレート３０が隣接するもの同士密着した状態になったときに）ビーム２１の延びる方向への移動が規制されるようになっている。すなわち、各プレート３０はビーム２１の延びる方向への移動が一定範囲内に制限されている。なお、移動規制部材２８は、この実施形態では曲げ形成した板材からなっているが、プレート３０のビーム２１の延びる方向への移動を規制し得るものであれば、その形状等は問わない。また、各プレート３０の材料には、パチンコ機１の表面に傷をつけることがなく、またガラス扉８の形状に馴染むようにするために、発泡ポリウレタンのような軽量かつ低反撥の材料を使用することが好ましい。また、各プレート３０の表面に、隣接する他のプレート３０との摩擦が小さくなるようなコーティングを施すようにしてもよい。
【００１９】
ビーム２１の両端部に設けられた２つの突っ張り型固定具４１は、それぞれビーム２１の両端部（右側ビーム２１ａの外方端部と左側ビーム２１ｂの外方端部）に複数のボルト（エンド部材４２に形成されたボルト取り付け穴４２ｂから取り付けられるエンド部材取り付けボルト４３）によって取り付けられた断面「コ」の字状のエンド部材４２と、このエンド部材４２の端部に外方に延びて設けられた長さ調整ボルト４２ａと、この長さ調整ボルト４２ａに取り付けられた円錐形状の突っ張り部材４４とから構成される（図４参照）。突っ張り部材４４の内部には上記長さ調整ボルト４２ａと螺合する雌螺子（図示せず）が形成されており、突っ張り部材４４を長さ調整ボルト４２ａの軸まわりに捻ることにより、突っ張り部材４４を長さ調整ボルト４２ａの長さ方向に移動させることができる。すなわち、この突っ張り型固定具４１はビーム２１の延びる方向への長さ調整を行うことができる。
【００２０】
固定バンド５０は図４及び図５に示すように角柱部材２２内を貫通して延びており、その両端部それぞれにはフック５１が取り付けられている。また、右側ビーム２１ａ及び左側ビーム２１ｂそれぞれの上面には滑り止め用のゴムシート２７が貼り付けられている。
【００２１】
次に、このような構成の転倒防止装置２０を用いて、床板ＦＬ上に立設姿勢で載置されたパチンコ機１を床板ＦＬ上に固定する手順について説明する。ここでは一例として、図２に示すようにパチンコ機１を床板ＦＬ上に２台同時に固定する例を示す。
【００２２】
パチンコ機１を床板ＦＬ上に固定するには、先ず固定しようとする２台のパチンコ機１が互いに平行に、かつ左右の側壁ＷＬ１，ＷＬ２に対しても平行に並ぶように床板ＦＬ上に配置する。そして、パチンコ機１の上方において、ビーム２１がパチンコ機１の前後方向（側壁ＷＬ１，ＷＬ２が対向する方向）に延びるように２台の転倒防止装置２０を配置する。そして、そのようなパチンコ機１に対する転倒防止装置２０の姿勢を保持しつつ、各転倒防止装置２０のビーム２１を降下させていく。そうすると、各転倒防止装置２０に備えられた多数のプレート３０のうち、一部のプレート３０はその本体部３１の下端３１ａがパチンコ機１の上面１ａ（図３（Ｂ）参照）に当接し、パチンコ機１の上面１ａによって上方に押し上げられる（ビーム２１に対して相対的に押し上げられる）。そして、その押し上げられたプレート３０の上端３０ａは角柱部材２２の下面２２ａに下方から当接することになる（すなわち最上方位置に位置する）。
【００２３】
このような状態になったら、固定バンド５０の両端部に取り付けられたフック５１を床板ＦＬに対して固定された固定バーＢＲに引っ掛け、そのうえで固定バンド５０の中間部に装備された長さ調整機構（図示せず）を操作して、固定バンド５０に適度な張力が作用するようにする。固定バンド５０の長さ調整が終了したら、ビーム２１の両端部に設けられた突っ張り型固定具４１それぞれの長さ調整を行い、両突っ張り型固定具４１を介してビーム部材２１が両側壁ＷＬ１，ＷＬ２の間に固定されるようにする。これにより転倒防止装置２０によるパチンコ機１の床板ＦＬに対する固定が終了する。なお、ここでは転倒防止装置２０を２台用いてパチンコ機１を床板ＦＬ上に固定しているが、状況によっては１台若しくは３台以上の転倒防止装置２０を使用する。
【００２４】
上記のように転倒防止装置２０が床板ＦＬに対して固定された状態では、図３に示すように、パチンコ機１の上面１ａに本体部３１の下端３１ａが当接した複数のプレート３０はその上端３０ａが角柱部材２２の下面２２ａに下方から当接しており、角柱部材２２とパチンコ機１との間に挟持された状態となっている。このためパチンコ機１が前後方向に傾こうとしたときにはこれら複数のプレート３０を介してビーム２１に反力が生じ、これによってパチンコ機１の前後方向への倒れは阻止されるわけであるが、ビーム２１の下方への押し付け力（すなわち固定バンド５０の張力）が弱く、パチンコ機１の前後方向への倒れがビーム２１からの上記反力によって阻止できなかった場合であっても、パチンコ機１の前後に位置したプレート３０（パチンコ機１の表面と接触していないプレート３０はいずれも最下方位置に位置している）は前述のようにビーム２１の延びる方向への移動が規制されている（ビーム２１に反力が生じる）ので、パチンコ機１の前後方向への倒れが阻止される。
【００２５】
なお、ここではパチンコ機１の上面１ａに当接したプレート３０の上端３０ａが角柱部材２２の下面２２ａに下方から当接するように転倒防止装置２０を保持していたが、パチンコ機１の上面１ａに当接したプレート３０は、最下方位置から上方に押し上げられた状態になっていればよいのであって、必ずしもその上端３０ａを角柱部材２２の下面２２ａに当接させる必要はない。一部のプレート３０がパチンコ機１の上面１ａにより最下方位置から上方に押し上げられた状態となるようにビーム２１を床板ＦＬに対して固定しさえすれば、パチンコ機１の前後に位置してパチンコ機１と対向するプレート３０（これらプレートを図３（Ａ）において符号３０ｔを付して示す）は、ビーム２１の延びる方向（すなわちパチンコ機１の前後方向）への移動が規制されていることから、パチンコ機１の前後方向への転倒を阻止するように機能するからである。しかし、上述のように、パチンコ機１の上面１ａに当接したプレート３０の上端３０ａが角柱部材２２の下面２２ａに当接するように（すなわちビーム２１によってパチンコ機１が床板ＦＬに押し付けられるように）すれば、パチンコ機１の床板ＦＬに対する安定性を向上させることができる。
【００２６】
また、この転倒防止装置２０は前述のようにビーム２１の上面に設けられた蝶番２５によって上下方向に折り畳み可能になっているので（図６参照）、保管及び持ち運びが便利である。ここで、図６に示すように、ビーム２１の両端に設けられたエンド部材４２のうち、一方の（ここでは右側ビーム２１ａ側の）エンド部材（これを図６では符号１４２で表す）が、上方に延びる延出部１４２ａを有するとともに、その延出部１４２ａに、ビーム２１を折り畳んだときに他方の（左側ビーム２１ｂ側の）エンド部材４２の長さ調整ボルト４２ａが収容されるボルト収容溝１４２ｂが設けられた構成となっていることが好ましい。このような構成では、ビーム２１が折り畳まれた状態において、右側ビーム２１ａと左側ビーム２１ｂとの左右方向へ相対移動が規制されるので、蝶番２５が傷まない。更に、ここでは図示しないが、ボルト収容溝１４２ｂ内に長さ調整ボルト４２ａが収容されたときに、長さ調整ボルト４２ａがボルト収容溝１４２ｂ内にロック（自動でもよいし手動でもよい）される構成となっていることが好ましい。
【００２７】
図７は上記転倒防止装置２０を用いてトラックＴの荷台Ｃに複数台のパチンコ機１を固定する例を示している。図７（Ｂ）は、下段に２台、上段に２台の計４台の転倒防止装置２０を用いて上下段４台ずつ、計８台のパチンコ機１をトラックＴの荷台Ｃに積載した状態を示している。この図では手前側に配置された上下段１台ずつの転倒防止装置２０しか描かれていない（見えていない）が、上下段ともそれぞれ奥側にもう１台の転倒防止装置２０が配置されているものとする。ここではトラックＴの荷台Ｃのスペースを有効に利用するため、下段のパチンコ機１の固定に使用した２台の転倒防止装置２０を上段のパチンコ機１を載置する場所、すなわち下段のパチンコ機１にとっての床板ＦＬとして使用している。
【００２８】
８台のパチンコ機１の荷台Ｃへの具体的な取り付け手順は、先ず、下段の４台のパチンコ機１を、図２を用いて説明した上記要領により固定する。ここで、各転倒防止装置２０は、固定バンド５０の両端のフック５１をトラックＴの荷台Ｃ内に装備されたラッシングレールＲＲ等に引っ掛け、ビーム２１の両端部に設けられた突っ張り型固定具４１の長さ調整を行ってビーム２１がトラックＴの荷台Ｃの側壁ＷＬ１，ＷＬ２に対して突っ張るようにする。そして、下段の４台のパチンコ機１を固定する作業が終了したら、今度は上段の４台のパチンコ機１を同様の要領により固定する。各転倒防止装置２０の上面には前述のようにゴムシート２７が貼り付けられているため、これが上段のパチンコ機１の滑り止めとして機能する。これにより４台の転倒防止装置２０を用いて８台のパチンコ機１を荷台Ｃ内に固定することができるが、このような段組をトラックＴの荷台Ｃの前後方向（トラックＴにとっての前後方向）に複数組設ければ、更に多くのパチンコ機１を積載することが可能である。
【００２９】
図８はもう一つの実施形態に係る転倒防止装置１２０をその一部を取り出して示すものである。この転倒防止装置１２０の説明では、前述の転倒防止装置２０と共通する構成部品については前述の符号と同一の符号を付けてその説明を省略することにする。この転倒防止装置１２０は前述の転倒防止装置２０と異なり、角柱部材２２の左右両側面から真っ直ぐ下方に延びた左右の平板状のガイド部材１２３が角柱部材２２の両側面に固定されており、各ガイド部材１２３の下部（角柱部材２２に取り付けられた状態で、角柱部材２２よりも下方に位置する部分）には、ビーム１２１の延びる方向に多数組並んで設けられた左右一対の上下方向に延びた孔（スリット）を有している。
【００３０】
各プレート３０はその左右の張り出し部３２を左右のガイド部材１２３に形成された左右の孔１２４を貫通して外方に延びて（すなわち左右一対の孔内に位置して）上下方向移動自在となっている。そして、プレート３０が自重により垂下した状態では、左右の張り出し部３２の下端３２ａが孔１２４の下縁１２４ａに上方から当接して最下方位置となり（図８（Ｂ）参照）、プレート３０の本体部３１が上方に押し上げられ、左右の張り出し部３２の上端３２ｂが孔１２４の上縁１２４ｂに下方から当接したときに最上方位置となるようになっている（図８（Ｃ）参照）。このような構成の転倒防止装置１２０においても、上述の転倒防止装置２０と同様に、ビーム１２１に支持された各プレート３０が、ビーム１２１の下方空間２６においてガイド部材１２３によりガイドされて自重により垂下した最下方位置から上方に移動自在な構成になっている。また、各プレート３０は左右の張り出し部３２が孔１２４の上下方向に延びた内縁１２４ｃと直接或いは他のプレート３０を介して間接的に当接したときにビーム２１の延びる方向への移動が規制されるようになっているが、この転倒防止装置１２０では、プレート３０ごとにビーム１２１の延びる方向への移動が規制された構成となっているところに特徴がある。なお、この例では、各プレート３０が左右の張り出し部３２まわりに回転しないようにするため、各プレート３０の間に上下方向に延びた仕切り板を設けるようにしてもよい。或いは、隣接するプレート３０同士が密着し合って回転が防止されるように、各プレート３０の下端部の前後両面から前後方向に突出した突起が設けられるようにしてもよい。
【００３１】
このように上記転倒防止装置２０（１２０）は、パチンコ機１の上方をパチンコ機１の前後方向に延びて設けられるビーム２１（１２１）及びこのビーム２１の下方にビーム２１の延びる方向に並設された多数のプレート３０を有し、各プレート３０が、ガイド部材２３にガイドされて自重により垂下した最下方位置から上方に移動自在であるとともにビーム２１の延びる方向への移動が規制された構成となっている。このため、一部のプレート３０がパチンコ機１の上面１ａにより最下方位置から上方に押し上げられた状態となるようにビーム２１を床板ＦＬに対して固定すれば、パチンコ機１の前後に位置したプレート３０はビーム２１の延びる方向（すなわちパチンコ機１の前後方向）への移動が規制されていることから、パチンコ機１が前後方向に傾こうとしたときにはこれが阻止され、転倒が防止される。パチンコ機１は横方向へはもともと転倒しにくいが、この転倒防止装置２０を図２に示すようにパチンコ機１の横方向に複数台並べて使用すれば、パチンコ機１の横方向への転倒をより確実に防止することができる。
【００３２】
また、このような構成の転倒防止装置２０（１２０）は、従来のように釘を用いてパチンコ機１の外枠２と結合される構成ではないので、トラックＴの荷台Ｃへの固定及びその解除作業が非常に容易である。また、パチンコ機１に釘穴が形成されないので、パチンコ機１の商品性を低下させない。更に、この転倒防止装置２０は再使用が可能であり、従来のように１回の使用後そのまま廃棄されることがないので環境保護の面からも好ましい。
【００３３】
なお、各プレート３０のビーム２１の延びる方向への移動を規制する構成は上述の実施形態に特に限定されないが、上述の実施形態のように、ビーム２１が、角柱部材２２の下部に固定された複数の移動規制部材２８を有し、ガイド部材２３がパチンコ機１の上方をパチンコ機１の前後方向に延びて設けられた角柱部材２２の左右側部から下方に延びた左右の垂直部２３ａ及び各垂直部２３ａの下端から互いに向き合うように延びた左右の水平部２３ｂを有し、各プレート３０は、左右両端部から左右側方に張り出して延びた左右の張り出し部３２が左右の水平部２３ｂの上方に位置させて上下方向移動自在であるとともに、左右の張り出し部３２が左右の水平部２３ｂに上方から当接したときに最下方位置に位置するようになっており、移動規制部材２８と直接或いは他のプレート３０を介して間接的に当接したときにビーム２１の延びる方向への移動が規制されるようになっているのであれば、構成を簡単なものとすることができる。ここで、上述の実施形態では、プレート３０のビーム２１の延びる方向への移動を規制する移動規制部材２８は右側ビーム２１ａの両端と左側ビーム２１ｂの両端に設けられていたが、この移動規制部材２８は各ビーム２１ａ，２１ｂの両端部のみならずその中間部に複数設けてもよく、更には各プレート３０の間ごとに設けてもよい。
【００３４】
また、もう一つの実施形態のように、ガイド部材１２３が角柱部材２２の左右側部から下方に延びるとともに、ビームの延びる方向に多数組並んで設けられた左右一対の上下方向に延びた孔１２４を有しており、各プレート３０は、その左右両端部から左右側方に張り出して延びた左右の張り出し部３２を左右一対の孔１２４内に位置させて上下方向移動自在にであるとともに、左右の張り出し部３２が左右の孔１２４それぞれの下縁１２４ａに上方から当接したときに最下方位置に位置するようになっており、孔１２４の上下方向に延びた内縁１２４ｃと直接或いは他のプレート３０を介して間接的に当接したときにビーム２１の延びる方向への移動が規制されるようになっているのであっても、同様に構成を簡単なものとすることができる。また、上述の実施形態では、一対の孔１２４内に１枚のプレート３０が取り付けられるようになっていたが、左右一対の孔１２４内に複数枚のプレート３０が取り付けられるようになっていてもよい。この場合、各プレート３０は、孔１２４の上下方向に延びた内縁１２４ｃと直接或いは同じ孔１２４内にある他のプレート３０を介して間接的に当接したときにビームの延びる方向への移動が規制されるようになる。
【００３５】
これまで本発明の好ましい実施形態について説明してきたが、本発明の範囲は上述の実施形態において示したものに限定されない。例えば、上述の実施形態において示したビーム２１（１２１）の構成は一例に過ぎず、遊技機（上述の実施形態ではパチンコ機１がこれに相当）の上方を遊技機の前後方向に延びて設けられた柱状部材（上述の実施形態では角柱部材２２がこれに相当）と、この柱状部材の下方に延びて設けられたガイド部材（上述の実施形態ではガイド部材２３又はガイド部材１２３がこれに相当）を備えて構成されているのであれば、他の構成を有していてもよい。例えば、上述の実施形態では、ビーム２１の柱状部材は中空矩形断面を有する角柱部材２２によって構成されていたが、この柱状部材は必ずしも角柱部材でなくてもよく、Ｈ型やチャンネル型の断面を有する部材等であってもよい。しかし、実施形態のように中空矩形断面とすれば、強度的に有利であるのは勿論のこと、固定バンド５０を通す空間を確保できるうえ、上面に滑り止め部材（ゴムシート２７）を貼り付けることができる等の面から好ましい。
【００３６】
また、上述の実施形態において示したプレート３０の形状も一例に過ぎず、ビーム２１（１２１）における柱状部材の下方にビーム２１（１２１）が延びる方向に多数並んで設けられ、各々がガイド部材にガイドされて自重により垂下した最下方位置から上方に移動自在であれば、他の形状を有していてもよい。特に、各プレート３０は、上記実施形態では、その下端３１ａの両端部は角張った形状をしていたが、これら両端部には丸みを付けるようにしてもよい。このような構成にすれば、パチンコ機１とプレート３０との双方に傷がつきにくくすることができる。
【００３７】
また、一部のプレートがパチンコ機１の上面１ａにより最下方位置から上方に押し上げられた状態になるようにビーム２１（１２１）を床板ＦＬに対して固定するビーム固定具は、上述の実施形態ではビーム２１の両端部に設けられた突っ張り型固定具４１とフック５１付き固定ベルト５０の双方がこれに相当するようになっていたが、これは突っ張り型固定具４１及びフック５１付き固定ベルト５０の一方のみからなるものであってもよい。また、上述の実施形態では、突っ張り型固定具４１は突っ張り部材４４を捻ることによってエンド部材４２の端部に設けられた長さ調整ボルト４２ａに対して移動させる構成であったが、エンド部材４２に設けられたボルト取り付け穴４２ｂをビーム２１の延びる方向に延びた長穴に形成することにより、エンド部材４２全体をビーム２１の延びる方向に移動できるようにしてもよい。更に、突っ張り型固定具をビーム２１の側方にも設けてビーム２１を側方からも支持できるようにしてもよい。
【００３８】
また、上述の実施形態では、ビーム２１はその上面に設けられた蝶番２５によって上下方向に折り畳み可能になっていたが、ビーム２１の側面に蝶番を設けることによって、ビーム２１を側方に折り畳むことができるようにしてもよい。また、上述の実施形態では、転倒防止装置２０の上面に別のパチンコ機１を設置する際には、そのパチンコ機１はビーム２１の上面に（ゴムシート２７の上面に）直接設置するようになっていたが、ビーム２１の上面に板材を載置し、その板材の上にパチンコ機１を載置するようにしてもよい。また、上述の実施形態では、本発明に係る転倒防止装置によって転倒が防止される遊技機としてパチンコ機を示したが、これは一例に過ぎず、本発明に係る遊技機の転倒防止装置は、スロットマシンやアレンジボール機などの他の遊技機に対しても適用することが可能である。従って、例えば本発明に係る転倒防止装置２０を用いてトラックにパチンコ機を積載して遊技場に運び入れた後、その同じトラックにスロットマシンを積載して遊技場から運び出すといった運用が可能であり、遊技機の運搬に要する経費等の削減に資することもできる。
【図面の簡単な説明】
【００３９】
【図１】本発明の一実施形態に係る転倒防止装置が適用されるパチンコ機を示す図であり、（Ａ）は正面図であり、（Ｂ）は側面図である。
【図２】パチンコ機に転倒防止装置が適用された状態を示す図であり、床板上に載置された２台のパチンコ機を２台の転倒防止装置を用いて固定した状態を示す斜視図である。
【図３】パチンコ機に転倒防止装置が適用された状態を示す図であり、（Ａ）はパチンコ機を側方から見た図、（Ｂ）は（Ａ）における矢視IIIＢ−IIIＢから見た断面図でプレートが最下方位置にある状態の図、（Ｃ）は（Ａ）における矢視IIIＣ−IIIＣから見た断面図でプレートが最上方位置にある状態の図である。
【図４】転倒防止装置の一部分解斜視図である。
【図５】（Ａ）は図４における矢視V−Vから見た転倒防止装置の断面図であり、（Ｂ）は（Ａ）における矢視ＶＢ−ＶＢから見た断面図である。
【図６】ビームの折り畳み状態（ビームは（Ａ）→（Ｂ）の順で折り畳まれる）を、エンド部材の変形例とともに示す斜視図である。
【図７】（Ａ）はパチンコ機が積載されるトラックの斜視図であり、（Ｂ）は（Ａ）における矢視VIIＢから見た、複数台のパチンコ機が転倒防止装置によってトラックの荷台に固定された状態を示す図である。
【図８】（Ａ）はもう一つの実施形態に係る転倒防止装置の斜視断面図であり、（Ｂ）は（Ａ）における矢視VIIIＢ−VIIIＢから見た断面図でプレートが最下方位置にある状態の図、（Ｃ）は（Ａ）における矢視VIIIＢ−VIIIＢから見た断面図でプレートが最上方位置にある状態の図である。
【符号の説明】
【００４０】
１        パチンコ機（遊技機）
２        外枠
３        前枠
４ａ，４ｂ    ヒンジ
５        収納枠
６        遊技盤
７        ガラス板
８        ガラス扉
９        上球皿
１０      下球皿
１１      施錠装置
１２      裏セット盤
１３      賞球貯留タンク
１４      操作ハンドル
２０      転倒防止装置
２１      ビーム
２１ａ    右側ビーム
２１ｂ    左側ビーム
２２      角柱部材（柱状部材）
２３      ガイド部材
２３ａ    垂直部
２３ｂ    水平部
２４      ボルト
２５      蝶番
２６      空間
２７      ゴムシート
２８      移動規制部材
３０      プレート
３１      本体部
３１ａ    本体部の下端
３２      張り出し部
３２ａ    張り出し部の下端
３２ｂ    張り出し部の上端
４１      突っ張り型固定具（ビーム固定具）
４２      エンド部材
４２ａ    長さ調整ボルト
４２ｂ    ボルト取り付け穴
４３      エンド部材取り付けボルト
４４      突っ張り部材
５０      固定バンド（ビーム固定具）
５１      フック
１２０    転倒防止装置
１２３    ガイド部材
１２４    孔
１２４ａ  孔の下縁
１２４ｂ  孔の上縁
１２４ｃ  孔の上下方向に延びた内縁
１４２    エンド部材
１４２ａ  延出部
１４２ｂ  ボルト収容溝
【図１】
2007021049.tif 000003
【図２】
2007021049.tif 000004
【図３】
2007021049.tif 000005
【図４】
2007021049.tif 000006
【図５】
2007021049.tif 000007
【図６】
2007021049.tif 000008
【図７】
2007021049.tif 000009
【図８】
2007021049.tif 000010